【手続補正書】
【提出日】平成30年9月13日(2018.9.13)
【手続補正１】
【補正対象書類名】明細書
【補正対象項目名】００１６
【補正方法】変更
【補正の内容】
【００１６】
また、本願記載のミラーユニットは、一の前記導光部材に対して光を発する光源は複数であり、前記導光部材が有する複数の光収束部は、第１の光源から入光した光の光路を変更して第１の像が表示されるように光を結像させる第１の光収束部群と、前記第１と異なる第２の光源から入光した光の光路を変更して第２の像が表示されるように光を結像させる第２の光収束部群とを含むことを特徴とする。
【手続補正２】
【補正対象書類名】明細書
【補正対象項目名】００２０
【補正方法】変更
【補正の内容】
【００２０】
本願記載のミラーユニット等では、車両に取り付けられるミラーに複数の光収束部を有し、結像させた像を表示させることが可能である。
【手続補正３】
【補正対象書類名】明細書
【補正対象項目名】００３７
【補正方法】変更
【補正の内容】
【００３７】
図２及び図３に示すように、一の線１６上に位置する複数の光収束部１５ｘ（光収束部１５ｘ１，１５ｘ２，１５ｘ３，…）は、それぞれ反射面１５０ｘ１，１５０ｘ２，１５０ｘ３，…を含む。一の線１６上に位置する複数の光収束部１５ｘのそれぞれの反射面１５０ｘ１，１５０ｘ２，１５０ｘ３，…は、出射面１３側の収束点Ｐ１に収束する方向へ向けて出射面１３側へ光を反射させる。また、他の線１６上に位置する複数の光収束部１５ｙ（光収束部１５ｙ１，１５ｙ２，１５ｙ３，…）は、それぞれ反射面１５０ｙ１，１５０ｙ２，１５０ｙ３，…を含む。また、他の線１６上に位置する複数の光収束部１５ｙのそれぞれの反射面１５０ｙ１，１５０ｙ２，１５０ｙ３，…は、背面１４側の収束点Ｐ２から発散する方向となるように、出射面１３側へ光を反射させる。従って、図３のうち括弧書きで記載した光収束部１５ｙ２の反射面１５０ｙ２及び光収束部１５ｙ３の反射面１５０ｙ３の傾きは、図３とは反対となり、導光板１１の端部側に向けて傾斜する。
【手続補正４】
【補正対象書類名】明細書
【補正対象項目名】００３９
【補正方法】変更
【補正の内容】
【００３９】
反射面１５０ｙ１，１５０ｙ２，１５０ｙ３，…等の反射面１５０ｙは、光源１０から入光した光を、反射面１５０ｙ上の点と収束点Ｐ２とを結ぶ直線に沿う方向へそれぞれ反射させる。各反射面１５０ｙが反射した光線を、それぞれ光線の進む方向と反対の方向へ延長した場合、各光線の延長線は、収束点Ｐ２に収束する。このように、各光収束部１５ｙがそれぞれ含む複数の反射面１５０ｙは、光源１０から入光した光を、それぞれの反射面１５０ｙ上の点と収束点Ｐ２とを結ぶ直線に沿う方向に反射させる。従って、表示装置１は、収束点Ｐ２から、位置Ｖ２から位置Ｖ１を通って位置Ｖ３までの範囲内のどの位置へも向かう光を提供することができる。このような収束点Ｐ２は、出射面１３の反対側（背面１４側）に飛び出したように認識される像１７を形成する。
【手続補正５】
【補正対象書類名】明細書
【補正対象項目名】００４１
【補正方法】変更
【補正の内容】
【００４１】
換言すれば以下のように表現することができる。即ち、光源１０から発せられた光が入光する導光板１１は、出射面１３に平行な面内で光を導く。導光板１１には、出射面１３に並行な面内において導光板１１の導光方向（Ｙ軸方向）に直交する方向（Ｘ軸方向）に長さをもった複数の光収束部１５が形成されている。複数の光収束部１５のそれぞれは、出射面１３に並行な面に投影した法線の方向がそれぞれの光収束部１５の長さ方向（Ｘ軸方向）に沿って連続的又は断続的に変化する光学面を有している。導光板１１によって導かれた光は、光学面で反射されることによって空間上の一つの収束点Ｐ若しくは収束線に実質的に収束する又は空間上の一つの収束点Ｐ若しくは収束線から実質的に発散する方向の出射光として出射面１３から出射される。収束点Ｐ若しくは収束線は、Ｙ軸上の位置が異なる複数の光収束部１５のそれぞれの間で互いに異なり、複数の収束点Ｐ若しくは収束線の集まりによって空間上に像１７が形成される。
【手続補正６】
【補正対象書類名】特許請求の範囲
【補正対象項目名】全文
【補正方法】変更
【補正の内容】
【特許請求の範囲】
【請求項１】
車両に取り付け可能なミラーユニットであって、
表面から進入した外部からの光を表面側へ反射するミラー部材と、
像を表示する表示装置と
を備え、
前記表示装置は、
光を発する光源と、
前記光源から入光した光を導く導光部材と
を備え、
前記導光部材は、
入光した光を出射する出射面と、
入光した光の光路を出射面側へ変更し、自部材の外部の収束点若しくは収束線に収束する方向、又は自部材の外部の収束点若しくは収束線から発散する方向へ出射して自部材の外部に結像させる複数の光収束部と
を有し、
前記ミラー部材の表面側に、前記光収束部が結像させるように、前記ミラー部材及び前記導光部材は配置されている
ことを特徴とするミラーユニット。
【請求項２】
請求項１に記載のミラーユニットであって、
前記導光部材は、
面状をなし、
前記ミラー部材の表面側に、前記ミラー部材に重ねて配置されている
ことを特徴とするミラーユニット。
【請求項３】
請求項１に記載のミラーユニットであって、
前記ミラー部材は、
薄板状をなし、一方の面が前記表面となる透光部と、
前記透光部の他方の面に形成され、表面側から進入して透光部を透過した外部からの光を表面側へ反射する反射層と
を備え、
前記導光部材は、
前記ミラー部材の他方の面側に配置されている
ことを特徴とするミラーユニット。
【請求項４】
車両に取り付け可能なミラーユニットであって、
像を表示する表示装置を備え、
前記表示装置は、
光を発する光源と、
面状をなし、前記光源から入光した光を導く導光部材と
を備え、
前記導光部材は、
前記光源から入光した光を出射する出射面と、
前記光源から入光した光の光路を出射面側へ変更し、自部材の外部の収束点若しくは収束線に収束する方向、又は自部材の外部の収束点若しくは収束線から発散する方向へ出射して自部材の外部に結像させる複数の光収束部と
を有し、
前記導光部材の出射面と相対する反対側の面に形成され、出射面側から進入して前記導光部材を透過した外部からの光を出射面側へ反射する反射層を有する  ことを特徴とするミラーユニット。
【請求項５】
車両に取り付け可能なミラーユニットであって、
像を表示する表示装置を備え、
前記表示装置は、
光を発する光源と、
面状をなし、前記光源から入光した光を導く導光部材と
を備え、
前記導光部材は、
前記光源から入光した光を出射する出射面と、
前記光源から入光した光の光路を出射面側へ変更し、自部材の外部の収束点若しくは収束線に収束する方向、又は自部材の外部の収束点若しくは収束線から発散する方向へ出射して自部材の外部に結像させる複数の光収束部と
を有し、
前記導光部材の出射面と相対する反対側の面に形成され、出射面側から進入して前記導光部材を透過した外部からの光を透過させる透光層と、
前記透光層を透過した外部からの光を、前記出射面側へ反射する反射層と
を有する
ことを特徴とするミラーユニット。
【請求項６】
請求項１乃至請求項５のいずれか１項に記載のミラーユニットであって、
前記光収束部は、
前記出射面と平行な方向以外の方向に広がりを有する像が表示されるように光を結像させる
ことを特徴とするミラーユニット。
【請求項７】
請求項１乃至請求項６のいずれか１項に記載のミラーユニットであって、
前記光収束部は、
方向を示す像が表示されるように光を結像させる
ことを特徴とするミラーユニット。
【請求項８】
請求項１乃至請求項６のいずれか１項に記載のミラーユニットであって、
前記導光部材を複数備え、
前記各導光部材は、それぞれ異なる像が表示されるように光を結像させる
ことを特徴とするミラーユニット。
【請求項９】
請求項１乃至請求項６のいずれか１項に記載のミラーユニットであって、
前記導光部材を複数備え、
前記各導光部材は、それぞれ異なる方向を示す像が表示されるように光を結像させる
ことを特徴とするミラーユニット。
【請求項１０】
請求項１乃至請求項９のいずれか１項に記載のミラーユニットであって、
一の前記導光部材に対して光を発する光源は複数であり、
前記導光部材が有する複数の光収束部は、
第１の光源から入光した光の光路を変更して第１の像が表示されるように光を結像させる第１の光収束部群と、前記第１と異なる第２の光源から入光した光の光路を変更して第２の像が表示されるように光を結像させる第２の光収束部群とを含む
ことを特徴とするミラーユニット。
【請求項１１】
請求項１０に記載のミラーユニットであって、  前記第１の光収束部群及び第２の光収束部群は、それぞれ異なる像が表示されるように光を結像させる
ことを特徴とするミラーユニット。
【請求項１２】
請求項１０に記載のミラーユニットであって、
前記第１の光収束部群及び第２の光収束部群は、それぞれ異なる方向を示す像が表示されるように光を結像させる
ことを特徴とするミラーユニット。
【請求項１３】
車両に取り付けられたミラーユニットに収容可能な表示装置であって、
光を発する光源と、
前記光源から入光した光を導く導光部材と
を備え、
前記導光部材は、
入光した光を出射する出射面と、
入光した光の光路を出射面側へ変更し、自部材の外部の収束点若しくは収束線に収束する方向、又は自部材の外部の収束点若しくは収束線から発散する方向へ出射して自部材の外部に結像させる複数の光収束部と
を有する
ことを特徴とする表示装置。